(57)【要約】【課題】製品の種類を増やしてもメーカーでの在庫管理が煩雑にならないようにする。【解決手段】コースターは、物品を載せることが可能な透光性のあるケース体９にＬＥＤ４０Ｒ，４０Ｇ，４０Ｂが組み込まれたものである。ケース体９は、ＬＥＤ４０Ｒ，４０Ｇ，４０Ｂが組み込まれる上面開口の凹部１０を有するベース板１と、透光性のあるカバー２とから成る。ベース板１の凹部１０上に化粧板５が配置され、化粧板５上にカバー２を被せてベース板１とカバー２との間で化粧板５を保持する。【選択図】図２
2006034504.tif 000002
【特許請求の範囲】
【請求項１】
物品を載せることが可能な透光性のあるケース体に光源が組み込まれた敷き板において、前記ケース体の物品を支持する面の下方に、透光性のある化粧板が保持されて成る敷き板。
【請求項２】
前記ケース体は、光源が組み込まれる上面開口の凹部を有するベース板と、透光性のあるカバーとから成り、前記ベース板の凹部上に化粧板が配置され、前記化粧板上に前記カバーを被せてベース板とカバーとの間で化粧板が保持されている請求項１に記載された敷き板。
【請求項３】
前記カバーは、化粧板が取り外せないようにベース板に一体接合されている請求項２に記載された敷き板。
【請求項４】
前記カバーは、化粧板が取り外せるようにベース板に対して着脱可能である請求項２に記載された敷き板。
【請求項５】
物品を載せることが可能な透光性のあるケース体に光源が組み込まれた敷き板において、前記ケース体の物品を支持する面には、透光性のある化粧板を取外し可能に保持するための保持部が設けられて成る敷き板。
【請求項６】
請求項１〜５のいずれかに記載された敷き板であって、前記ケース体の物品を支持する面が凹凸面に形成されている請求項１に記載された敷き板。
【請求項７】
請求項１〜５のいずれかに記載された敷き板であって、前記化粧板はフィルム状の合成樹脂シートにより形成されている敷き板。
【発明の詳細な説明】
【技術分野】
【０００１】
この発明は、飲料用のグラス、ガラス製の花器や置物などの下に敷かれる敷き板に関し、特にこの発明は、ＬＥＤ（発光ダイオード）などの光源が組み込まれた発光機能のある敷き板に関する。
【背景技術】
【０００２】
従来、この種の敷き板として、内部にＬＥＤが組み込まれたコースターが提案されている。このコースタは、上面にＬＥＤ、下面にスイッチが実装された基板と、基板の上方を覆うケース部と、基板の下面を支持する底蓋部とから成り、ケース部と底蓋部とは基板を中間に挟んで一体化されている（例えば、特許文献１参照）。底蓋部にはスイッチの操作部を下方へ突出させる貫通孔が設けてあり、ケース部上にグラスを置いたとき、その荷重に応じた上向きの反力が操作力としてスイッチの操作部に作用してスイッチをオン動作させ、ＬＥＤ点灯回路を通電させる。
前記ケース部は透光性のある樹脂材料により形成され、ケース部の表面には点灯時にも非点灯時にも読み取れるように図形、模様、文字などが表されている。この図柄や模様等は、特に非点灯時におけるコースターの意匠を構成するとともに、ＬＥＤなどの内部の部品が外部から見えにくくするための目隠しとしても機能する。
【０００３】
【特許文献１】実開昭６３−１８１３７１号公報
【発明の開示】
【発明が解決しようとする課題】
【０００４】
上記した構成のコースターを製品化する場合、ケース部の表面に表す図柄や模様等を変えることにより製品の種類を増やすことができるが、製品の種類を増やせば増やすほど、メーカーでは多種類の製品を製作してストックしておく必要があるため、在庫数が増し、在庫管理が煩雑なものとなる。
【０００５】
この発明は、上記問題に着目してなされたもので、製品の種類を増やしてもメーカーでの在庫管理が煩雑とならないコースターなどの敷き板を提供することを目的とする。
【課題を解決するための手段】
【０００６】
この発明による敷き板は、物品を載せることが可能な透光性のあるケース体に光源が組み込まれたものであり、前記ケース体の物品を支持する面の下方に、透光性のある化粧板が保持されて成る。
【０００７】
上記した構成の敷き板において、光源が点灯すると、光源からの光はケース体の透光部分を通って外部へ出る。ケース体上にグラスなどが置かれていると、光源からの光はグラスやグラスに満たされた液体を通過するので、グラスや液体が光り輝く。
化粧板の図柄や模様等は、特に非点灯時における敷き板の意匠を構成するが、図柄や模様等の存在によってケース体の内部が外部から見えにくくなり、目隠しとしての機能も果たす。
【０００８】
この発明の上記した構成において、「ケース体」は必ずしも全体が透光性を有している必要はなく、少なくとも上面が透光性を有していればよい。「光源」はＬＥＤが望ましいが、豆ランプであってもよい。また、光源は少なくとも１個、望ましくは複数個用いる。光源としてＬＥＤを用いるとき、１種類（例えば赤色発光ダイオード）のＬＥＤで構成してもよく、発光色が異なる複数種のＬＥＤで構成してもよい。また、複数個のＬＥＤを用いるとき、それらを一斉に点灯してもよく、順々に点灯してもよい。
なお、光源はスイッチを手操作して点灯させてもよいが、ケース体上に物品が載せられたときその荷重によってスイッチが入って点灯するように構成するのが望ましい。
【０００９】
「化粧板」は、フィルム状の合成樹脂シートにより形成するのが好ましいが、フィルム状のものに限らず、厚手の合成樹脂シート、さらには合成樹脂製のプレートであってもよい。「化粧板」の意匠は、材料の表面に透明または不透明の印刷インキで図柄、模様、文字などを印刷することにより得られるが、印刷インキとして蓄光インキや蛍光インキなどの特殊なインキを用いれば、興趣に富んだ意匠を構成できる。例えば、蓄光インキで図柄や模様を描けば、消灯後にも図柄や模様を光らせることができる。なお、化粧板としてフィルム状の合成樹脂シートを用いる場合、複数枚の合成樹脂シートを重ねれば、図柄や模様等の合成が可能である。
【００１０】
この発明の好ましい実施態様においては、前記ケース体は、光源が組み込まれる上面開口の凹部を有するベース板と、透光性のあるカバーとから成り、前記ベース板の凹部上に化粧板が配置され、前記化粧板上に前記カバーを被せてベース板とカバーとの間で化粧板が保持されている。
この実施態様においては、前記カバーは、化粧板が取り外せないようにベース板に一体接合してもよく、また、化粧板が取り外せるようにベース板に対して着脱可能であってもよい。
【００１１】
この発明による他の敷き板は、物品を載せることが可能な透光性のあるケース体に光源が組み込まれたものであり、前記ケース体の物品を支持する面には、透光性のある化粧板を取外し可能に保持するための保持部が設けられて成る。この態様によると、化粧板を交換することができ、同じケース体を用いて異なる意匠の敷き板を得ることができる。
【００１２】
この発明の好ましい実施態様においては、前記ケース体の物品が支持する面が凹凸面に形成されている。この実施態様によると、前記凹凸面は光源からの光を四方へ拡散させる。また、グラスなどが凹凸面上に置かれたときは、グラスなどの滑りを防いだり、敷き板がグラスなどの下面に貼り付いて持ち上がるのを防止したりする。さらに、ケース体の内部が外部から見えないように目隠しとしての機能も果たす。
【発明の効果】
【００１３】
この発明によると、ケース体に設ける化粧板を交換するだけで意匠が異なる敷き板を製作できる。化粧板を変えて製品の種類を増やしても、メーカーでは化粧板さえ他種類用意しておけばケース体は１種類でよく、在庫管理が容易である。
また、化粧板の交換が可能な態様のものであれば、ユーザーにおいて好みに応じて意匠が異なる敷き板を容易に得ることができる。
【発明を実施するための最良の形態】
【００１４】
図１〜図３は、この発明の一実施例であるコースターの構成を示すもので、図１は外観を、図２は内部構造を、図３は組立構造を、それぞれ示す。
図示例のコースターは、合成樹脂製のベース板１と、ベース板１上に被せられて固着される透光性を有する合成樹脂製のカバー２と、ベース板１の下面に取外し可能に装着されるゴム製の底板３とを備えたものであり、ベース板１とカバー２と底板３とで薄板状のケース体９が構成されている。
なお、この発明は、図示例のようなコースターに限らず、主としてガラス製の花器や置物の下面に敷かれる敷き板にも適用できる。
【００１５】
前記ベース板１は、上面に開口する平面形状が円形の凹部１０を備えたものである。この凹部１０の内部には円盤状のプリント基板４が収容されている。このプリント基板４は凹部１０の底面部１１上に固定されている。凹部１０の上面開口の周縁は水平かつ平坦な支持面１６になっており、その支持面１６上にフィルム状の化粧板５の外周縁が支持されている。
【００１６】
前記化粧板５は、図４に示すように、平面形状が前記凹部１０の支持面１６に対応する八角形状に形成されている。この実施例の化粧板５は合成樹脂製のフィルムシートによって形成され、中央部には透明インキで薄い色に着色された背景部分５ａ（図示例では夜空の部分）が表され、その中に不透明インキで濃い色に着色された図柄部分５ｂ（図示例では建物や星座の部分）が表されている。さらに、背景部分５ａの外側には不透明インキにより濃い色に着色された周縁部５ｃが形成されている。前記背景部分５ａの輪郭は凹部１０の上面開口に一致する円形状に設定されている。ベース板１上にカバー２が被せたとき、前記支持面１６とカバー２の下面との間で化粧板５の周縁部５ｃが保持される。
【００１７】
前記プリント基板４には、複数個のＬＥＤ４０Ｒ，４０Ｇ，４０Ｂと、各ＬＥＤを発光させるＬＥＤ点灯回路と、ＬＥＤ点灯回路をオン、オフするスイッチ４２とが実装されている。同図中、４０Ｒは赤色に発光するＬＥＤ、４０Ｇは緑色に発光するＬＥＤ、４０Ｂは青色に発光するＬＥＤであり、プリント基板４の表面の適所に配置されている。ＬＥＤ点灯回路は、図示しないが、プリント基板４の表裏両面に印刷された回路パターン、マイクロコンピュータのチップ部品、抵抗やダイオードなどの素子などで構成されている。この実施例のチップ部品は、赤色、緑色、青色の各ＬＥＤ４０Ｒ，４０Ｇ，４０Ｂが順々に点灯しかつ順々に消灯するような動作制御を行う。
【００１８】
前記スイッチ４２はＬＥＤ点灯回路の通電をオン、オフするためのもので、この実施例では、図５に示すように、丸軸状の操作部４３を有するタクトスイッチ（以下、単に「スイッチ」という。）４２が用いてある。このスイッチ４２はプリント基板４に開設された取付孔４１に嵌めてあり、スイッチ４２の操作部４３はプリント基板４の裏面へ突き出ている。前記ベース板１における凹部１０の底面部１１には、前記スイッチ４２に対応する位置に貫通孔１７が形成してあり、この貫通孔１７を前記操作部４３が貫通し底面部１１の下面に臨ませている。
【００１９】
前記カバー２は全体が透明または半透明であり、上面はグラスの底などを支持するための水平面２１となっている。カバー２の外周縁はベース板１の外周面に嵌められて高周波溶着により一体に接合され、これによりベース板１とカバー２との間からの水の浸入を防止している。前記水平面２１の中央部には凹凸面２２が形成されている。この凹凸面２２はＬＥＤの光を拡散させる拡散面として機能し、また、内部構造が見えにくくする目隠し面としても機能する。さらに、グラスなどが置かれたとき、グラスなどが滑らないように摩擦面として機能し、さらにまた、底が平坦なグラスが置かれたとき、グラスの底に付着した水滴によってコースターがクラスに密着して一体に持ち上がるような事態の発生も防止する。さらにまた、底が窪んだグラスが置かれたとき、窪みに閉じ込められた空気の膨張によりグラスが持ち上げられて動くような事態の発生も防止する。
一方、前記水平面２１の裏面側には複数本のリング状の凸条２３が同心円上に形成されている。この凸条２３は光を導入してリング状に光らせるためのものである。
なお、カバー２は、全体が透光性を有している必要はなく、凹凸面２２以外の部分については非透光性であってもよい。
【００２０】
前記化粧板５の図柄はカバー２を通して見えるが、特にＬＥＤを点灯しないとき、図柄がよく見えるようにするために、この実施例では、プリント基板４の表面を白地としかつ印刷されるパターンも白色に近い色に設定している。また、化粧板５として種々の図柄のものを用いることによりコースターの種類を増している。
【００２１】
前記ベース板１には、凹部１０の底面部１１の外周に、下面に開口する電池収容部１２が形成されている。この電池収容部１２は、図６に示すように、乾電池６を１個づつ収容することが可能な合計４個の凹部１３をもって構成されている。各凹部１３の両端には前記ＬＥＤ点灯回路に導通する金属製の電極６１が装備されている。ベース板１の下面の電池収容部１２の外周には周溝１４が形成されている。この周溝１４には底板３の外周縁に形成された立ち上がり壁３１が嵌入され、これによりベース板１の下面全体が底板３により塞がれかつシールされる。前記周溝１４の外周部分はベース板１の底面１８に相当し、ベース板１に底板３が装着されたとき、底板３の下面がベース板１の底面１８と面が一致する。
【００２２】
前記底板３は、比較的柔軟なゴム材により形成されており、ベース板１より取り外すことが可能であり、これにより電池６の交換が可能である。底板３の内面には、図５に示すように、前記スイッチ４２の操作部４３の先端が当接している。また、底板３の内面の前記操作部４３との当接位置には、凸部３０が一体に形成されており、操作部４３が凸部３０に当接することによって、その当接部分に当たる底板３の板面が弾性変形してベース板１の底面１８よりわずかに下方へ突き出る。コースターに荷重Ｐがかかると、突出部分ａに荷重Ｐに応じた上向きの反力が操作力Ｎとして前記操作部４３に作用し、これを押し上げるので、スイッチ４２がオン動作する。
なお、この実施例では、ＬＥＤ４０Ｒ，４０Ｇ，４０Ｂを点灯させるための電源として乾電池を用いているが、乾電池に代えて充電可能な蓄電池を用いてもよい。また、直流電源に限らず交流電源によってＬＥＤを点灯動作させることもできる。
【００２３】
この実施例では、ベース板１に被せたカバー２はベース板１に一体接合しているので、ユーザーにおいて化粧板５を交換できないが、図７に示す実施例では、プリント基板４が組み込まれた状態のベース板１に透明の内カバー７を被せてプリント基板４をシールし、その内カバー７上に位置する化粧板５の上からカバー２を取外し可能に被せることにより、ユーザーにおいて化粧板５を自由に交換できるようにしている。
【００２４】
ユーザーにおいて化粧板５の交換を可能とするために、図７に示す実施例では、カバー２をベース板１に対して着脱可能とするとともに、カバー２とベース板１の支持面１６との間で化粧板５を保持するようにしているが、カバー２をベース板１に一体接合した実施態様のものであっても化粧板５の交換を可能となすこともできる。
図８〜図１０に示す各実施例では、カバー２の水平面２１の部分に化粧板５を取外し可能に保持するための保持部８が設けられている。なお、保持部８の構造はこれらの実施例の構造に限定されるものではない。
【００２５】
図８に示す実施例では、カバー２の水平面２１に相当する部分に形成された固定穴８１と、その固定穴８１に嵌め込まれる透明な合成樹脂製の蓋板８２とで前記保持部８が構成されている。前記固定穴８１は、フィルム状の化粧板５の外形に沿う形状であり、化粧板５の厚みより大きな深さに形成されている。この固定穴８１に挿入された化粧板５上に前記蓋板８２を嵌め込むことにより化粧板５が保持される。
【００２６】
図９に示す実施例では、カバー２の水平面２１に相当する部分に形成された固定穴８１と、その固定穴８１の周壁部を下方に開くテーパとすることにより形成された係合部８３とで前記保持部８が構成されている。前記固定穴８１は、フィルム状の化粧板５の外形に沿う形状であり、化粧板５の厚みとほぼ同じ深さか、またはわずかに大きな深さに形成されている。この固定穴８１に挿入された化粧板５の外周縁を前記係合部８３に係入することにより化粧板５が保持される。
【００２７】
図１０に示す実施例では、カバー２の水平面２１に相当する部分に形成された固定穴８１をもって前記保持部が構成されている。この実施例での化粧板５は合成樹脂製のプレートであり、前記固定穴８１は化粧板５の外形に沿う形状であって化粧板５の厚みと一致する深さに形成されている。この固定穴８１に化粧板５を嵌め込むことにより化粧板５が保持される。
なお、前記した凹凸面２２は、図８に示す実施例では蓋板８２の表面に、図９に示す実施例では固定穴８１の底面に、図１０に示す実施例では化粧板５の表面に、それぞれ形成される。
【００２８】
上記した構成のコースターをテーブル上に置いただけの状態では、ＬＥＤ点灯回路は通電せず、ＬＥＤ４０Ｒ，４０Ｇ，４０Ｂは消灯状態のままである。この消灯状態では、化粧板５に描かれた図柄はカバー２を通して視認できるが、化粧板５やカバー２の凹凸面２２の存在によりケース体９の内部構造は見えにくくなっている。
【００２９】
コースターがテーブル上に置かれたとき、底板３の板面には突出部分ａが生じているので、コースターは部分的にわずかに浮いた状態でテーブル上に支持される。この状態でカバー２の水平面２１上にグラスを置くと、グラスの荷重Ｐが作用し、突出部分ａに荷重Ｐに応じたよる上向きの操作力Ｎが前記操作部４３に作用するので、スイッチ４２がオン動作する。これによりＬＥＤ点灯回路が通電し、ＬＥＤ４０Ｒ，４０Ｇ，４０Ｂが順々に発光動作しかつ順々に消灯動作し、この発光と消灯の各動作が繰り返される。ＬＥＤからの光はカバー２を通って外部へ出るが、このとき光はカバー２の凹凸面２２で拡散される。拡散光の一部はグラスやグラスに満たされた液体を通過するので、コースターだけでなく、グラスやグラスに満たされた液体、さらには液体中の氷なども光り輝くことになる。
【００３０】
グラスの表面に付着した水滴が流れ落ちたりグラスの内容物がこぼれたりしても、スイッチ４２の操作部４３は外部に露出しない構造になっており、ベース１の下面はゴム製の底板３で塞がれているので、水が内部に浸入することがなく、ＬＥＤ点灯回路４１の短絡、ＬＥＤ４０Ｒ，４０Ｇ，４０Ｂやスイッチ４２の故障や劣化などを引き起こすことがない。また、ゴム製の底板３は、荷重がかかった状態ではテーブル面と面接触するので、ゴムの大きな摩擦係数によってコースターの滑りが防止され、置かれたグラスが転倒することがない。
【００３１】
カバー２の水平面２１よりグラスを取り除くと、荷重が解除されてスイッチ４２の操作部４３に操作力が作用しなくなるので、スイッチ４２がオフ動作する。これによりＬＥＤ点灯回路への通電が止まり、ＬＥＤ４０Ｒ，４０Ｇ，４０Ｂが消灯する。
【図面の簡単な説明】
【００３２】
【図１】この発明の一実施例であるコースターの平面図である。
【図２】図１のＡ−Ａ線に沿う断面図である。
【図３】コースターの分解斜視図である。
【図４】化粧板を示す平面図である。
【図５】スイッチの操作部と底板の凸部との当接状態を示す拡大断面である。
【図６】底板の一部を破断して示したコースターの底面図である。
【図７】この発明の他の実施例であるコースターの縦断面図である。
【図８】カバーに設けられた保持部の一実施態様を示すカバーの断面図である。
【図９】カバーに設けられた保持部の他の実施態様を示すカバーの断面図である。
【図１０】カバーに設けられた保持部の他の実施態様を示すカバーの断面図である。
【符号の説明】
【００３３】
１    ベース板
２    カバー
３    底板
５    化粧板
８    保持部
９    ケース体
１０  凹部
２２  凹凸面
４０Ｒ，４０Ｇ，４０Ｂ  ＬＥＤ
【図１】
2006034504.tif 000003
【図２】
2006034504.tif 000004
【図３】
2006034504.tif 000005
【図４】
2006034504.tif 000006
【図５】
2006034504.tif 000007
【図６】
2006034504.tif 000008
【図７】
2006034504.tif 000009
【図８】
2006034504.tif 000010
【図９】
2006034504.tif 000011
【図１０】
2006034504.tif 000012